(57)【要約】      （修正有）【課題】哺乳瓶の乳首からの吸い込み流量を適切に制御し、瓶本体から乳首が抜ける可能性を少なくした哺乳瓶の構造を提供する。【解決手段】哺乳瓶の開口部周縁２２と、乳首部と、乳首部保護キャップ３との間に輪状の制御シートを取り付ける。該制御シートは凹み空間４１を有し、凹み空間の外周部を延在してフランジ表面４２を形成し、凹み空間の底面は密閉状の阻止面４３を形成し、中央部位置だけに小さい面積の穴部４４を開けていて、かつ阻止面にリブリング４５をさらに設ける。該制御シートのフランジ表面を哺乳瓶開口部周縁に取り付けた後、乳首部の開口部周縁を制御シートのフランジ表面に貼り合わせて、引き続き、乳首部保護キャップの中空開口部を哺乳瓶に嵌着し雌ねじ山と哺乳瓶開口部周縁の雄ねじ山とを嵌め合わせて、乳首部と制御シートに密着させる。【選択図】図７
0003182391.tif 000002
【実用新案登録請求の範囲】
【請求項１】
哺乳瓶の構造であって、
制御シートを哺乳瓶の開口部周縁と、乳首部との間に取付け、前記制御シートは輪状を形成していて、かつ凹み空間に仕上げられ、前記凹み空間の外周部を延在して輪状のフランジ表面を形成し、前記凹み空間の底面は密閉状の阻止面を形成、中央部位置だけに小さい面積の穴部を開けられ、阻止面は前記阻止面と一体成形されたリブリングを有し、前記乳首部の先端部の排出穴は八の字を形成して置き、前記制御シートの前記フランジ表面を前記哺乳瓶の開口部周縁に取り付けた後に、前記乳首部の前記開口部周縁を前記制御シートの前記フランジ表面に貼り合わせて置き、前記制御シートの前記リブリングを前記乳首部の前記開口部の内壁に取り付けた上、引き続き前記乳首部保護キャップに備える中空開口部を前記哺乳瓶に嵌着して置き、雌ねじ山と前記哺乳瓶の前記開口部周縁に備える雄ねじ山とを嵌め合わせて、前記乳首部保護キャップを前記乳首部と、前記制御シートに密着させ、
前記制御シートによって、前記哺乳瓶の液体が前記乳首部に流れる量を制御しながら、使用者が適宜に吸入でき、前記乳首部の過大な流量によって、咳き込みなど不快感を防止できる哺乳瓶の構造。
【請求項２】
前記乳首部の先端部に備える前記排出穴は八の字を形成することを特徴とする、請求項１記載の哺乳瓶の構造。
【考案の詳細な説明】
【技術分野】
【０００１】
本考案は哺乳瓶の構造に関する。使用者が哺乳瓶内部の液体を吸入するときに、哺乳瓶の開口部周縁と、乳首部と、と乳首部保護キャップとの間に輪状の制御シートを設けられ、制御シートに備える凹み空間の底面は密閉状の阻止面を形成し、中央部位置だけが小さい面積の穴部を開けていて、制御シートによって哺乳瓶内部液体が乳首部に流れる量を制御して置き、使用者が哺乳瓶内部の液体の吸入に適しており、使用者が乳首部をかじり哺乳瓶と乳首部保護キャップより離脱することを防止でき、実用的な効果を有する。
【背景技術】
【０００２】
市場で良く見かける哺乳瓶Ａ容器（図１に示す）は、一般として、まず乳首部Ｂを中空開口部Ｃ１の乳首部保護キャップＣ内部に取付け、瓶内部に液体Ｄ（例えば、乳製品、果汁、飲料、水など）を入れた後に、乳首部保護キャップＣの雌ねじ山Ｃ２と哺乳瓶Ａの開口部Ａ１周辺に備える雄ねじ山Ａ２とを嵌め合わせて、乳首部Ｂに密着させる。しかし、この種の態様によれば上下に揺動すると（図２に示す）、瓶内部の液体Ｄが上方に乳首部Ｂに流れると共に溢れだす恐れがある。同じ道理に使用者Ｅが哺乳瓶Ａ先端部を下向きにして吸入するときは（図３に示す）瓶内部の液体Ｄが一気に乳首部Ｂに流れるため、推力により乳首部Ｂ方向に押し込んで液体Ｄが一気に乳首部Ｂ方向に噴出してしまう恐れがあり、このときは顔部全体または咳き込みなど苦しみを感じてしまう。
【考案の概要】
【考案が解決しようとする課題】
【０００３】
さらに、乳首部Ｂの開口部Ｂ１周縁が乳首部保護キャップＣと哺乳瓶Ａ開口部Ａ１周縁両側に密着されているのみ、もし、使用者Ｅが吸入するときに、乳首部Ｂをかじって引っ張り、または両手Ｅ１で哺乳瓶Ａ（図４に示す）を引っ張るときは、乳首部Ｂが乳首部保護キャップＣと哺乳瓶Ａの開口部Ａ１を完全に離脱してしまい、瓶内部の液体Ｄが瞬く間に下方へ使用者Ｅの顔部Ｅ２と体に噴出される。このとき、瓶内部の液体Ｄ温度が高い場合は、やけどなどの傷害を受ける。
【課題を解決するための手段】
【０００４】
本考案は前述課題について、考案者が長年の研究によって考案されたものである。
【０００５】
本考案の目的は、哺乳瓶開口部周縁と乳首部保護キャップとの間に輪状の制御シートを取り付け、制御シートは凹み空間を有し、凹み空間の外周を延在してフランジ表面を形成し、凹み空間の底面は密閉状の阻止面を形成して、中央部位置だけに小さい面積の穴部を開け、阻止面は内外に貫通していて、かつ阻止面は一体成形されたリブリングを有する。制御シートのフランジ表面を哺乳瓶開口部周縁に取り付けた上、乳首部の開口部周縁を制御シートのフランジ表面に貼り合わせて置き、制御シートのリブリングを乳首部に備える開口部の内壁に取付けて、乳首部保護キャップの中空開口部を乳首部保護キャップに嵌着し、雌ねじ山と哺乳瓶開口部周縁に備える雄ねじ山とを嵌め合わせて、乳首部と制御シートとを密着させる。これにより、哺乳瓶内部液体が乳首部に流れる量を制御しながら、使用者の吸入に適宜でき、乳首部への過大な流量によって、咳き込みを防止でき、実用的な効果を有する哺乳瓶の構造を提供する。
【０００６】
本考案の一目的は、制御シートのフランジ表面が乳首部の開口部周縁に貼り合わせていて、乳首部保護キャップの雌ねじ山と哺乳瓶開口部周縁の雄ねじ山とを嵌め合わせて密着状態を形成し、乳首部は使用者のかじりによって、哺乳瓶と乳首部保護キャップとを離脱することを防止でき、実用的な効果を有する哺乳瓶の構造を提供する。
【０００７】
本考案もう一つの目的は、制御シートのリブリングは乳首部開口部の内壁に取付け、乳首部との貼り合わせ効果を強化し、乳首部は使用者のかじりによって、哺乳瓶と乳首部保護キャップとを離脱することを防止できる哺乳瓶の構造を提供する。
本考案さらに一つの目的は、乳首部先端部の排出穴は八の字を形成する哺乳瓶の構造を提供する。
【図面の簡単な説明】
【０００８】
【図１】公知技術の図面である。
【図２】公知技術の実施図（その１）である。
【図３】公知技術の実施図（その２）である。
【図４】公知技術の実施図（その３）である。
【図５】本考案の図面である（その１）。
【図６】本考案の図面である（その２）。
【図７】本考案組立後の局所の断面図である。
【図８】本考案の実施態様図である（その１）。
【図９】本考案の実施態様図である（その２）。
【図１０】本考案の実施態様図である（その３）。
【図１１】本考案もう一つの態様図である。
【図１２】本考案もう一つの組立図である。
【考案を実施するための形態】
【０００９】
まず、図５ないし７を参照する。本考案の哺乳瓶の構造は、制御シート４を哺乳瓶１の開口部１１の周縁と乳首部２と乳首部保護キャップ３との間に取付けられている。そのうち、制御シート４は輪状を形成していて、かつ凹み空間４１を形成し、凹み空間４１の外周部を延在して輪状のフランジ表面４２を形成し、凹み空間４１の底面は密閉状の阻止面４３を形成し、中央部位置だけに小さい面積の穴部４４を開けてられ、阻止面４３の内外は貫通しており、阻止面４３は阻止面４３と一体成形されたリブリング４５（図６に示す）を有し、乳首部２の先端部に備える排出穴２３は八の字を形成して、制御シート４のフランジ表面４２を哺乳瓶１開口部１１の周縁に取り付けた後、乳首部２の開口部周縁２２を制御シート４のフランジ表面４２に貼り合わせて、制御シート４のリブリング４５を乳首部２の開口部２１内壁に位置させた後、乳首部保護キャップ３の中空開口部３１を哺乳瓶１に嵌着して置き、雌ねじ山３２と哺乳瓶１開口部１１周縁に備える雄ねじ山１２とを嵌め合わせて置き、乳首部保護キャップ３を乳首部２と制御シート４とを密着させる（図７に示す）。
【００１０】
これにより、制御シート４と乳首部２は乳首部保護キャップ３の嵌着によって、哺乳瓶１に組み合わせた後、制御シート４はまず密閉状の阻止面４３によって液体Ｄが上下に揺動（図８に示す）または使用者Ｅが哺乳瓶１の先端を下向きに置き吸入する（図９に示す）瞬間の推力により乳首部２方向に流れ込むことを防止すると共に、制御シート４の阻止面４３中央部位置に設けられた小さい面積の穴部４４によって、液体Ｄを乳首部２の開口部２１に流せた後、八の字の排出穴２３より適宜に吸入できる。このように、哺乳瓶内部の液体Ｄが制御シート４の流量制御働きにより、乳首部２の過大な流量によって咳き込みなどの不快感はなく、実用的な効果を有する。
【００１１】
さらに、制御シート４のフランジ表面４２は乳首部２の開口部周縁２２に貼り合わせていて、かつ乳首部保護キャップ３の雌ねじ山３２によって哺乳瓶１の開口部１１周縁の雄ねじ山１２とを嵌め合わせて密着状態を形成する。さらに、制御シート４のリブリング４５は乳首部２開口部２１の内壁に位置することによって、乳首部２との貼り合わせ効果が強化され、乳首部２が使用者Ｅのかじりによって、哺乳瓶１と乳首部保護キャップ３とを離脱することを防止できる。
【００１２】
さらに、本考案の制御シート４を異なる形状の乳首部２（図１１と１２に示す）に組み合わせても前述の使用効果を達成できる。
前述とおり、本案は前述した予期効果を確実に発揮でき、実用新案登録第９３条の要件に合致するため、法により出願する。
【符号の説明】
【００１３】
１            哺乳瓶
１１            開口部
１２            雄ネジ山
２            乳首
２１            開口部
２２            開口部周縁
２３            排出孔
３            乳首部保護キャップ
３１            中空開口部
３２            雌ねじ山
４            制御シート
４１            凹み空間
４２            フランジ表面
４３            阻止面
４４            穴部
４５            リブリング
Ａ            哺乳瓶
Ａ１            開口部
Ａ２            雄ネジ山
Ｂ            乳首
Ｂ１            開口部
Ｃ            乳首部保護キャップ
Ｃ１            中空開口部
Ｃ２            雌ねじ山
Ｄ            液体
Ｅ            使用者
Ｅ１            両手
Ｅ２            顔部
【図１】
0003182391.tif 000003
【図２】
0003182391.tif 000004
【図３】
0003182391.tif 000005
【図４】
0003182391.tif 000006
【図５】
0003182391.tif 000007
【図６】
0003182391.tif 000008
【図７】
0003182391.tif 000009
【図８】
0003182391.tif 000010
【図９】
0003182391.tif 000011
【図１０】
0003182391.tif 000012
【図１１】
0003182391.tif 000013
【図１２】
0003182391.tif 000014